(57)【要約】      （修正有）【課題】多様な特色を立体的に際立たせることができる鏡面複合図/文素材のカードを提供する。【解決手段】主に鏡面複合図/文素材７をカードの内層中に選択的に挟み圧合し、上覆膜層３、上中材層４、下中材層５、下覆膜層６と該鏡面複合図/文素材を重ね合わせて構成する。該鏡面複合図/文素材は該上中材層、該下中材層の真上或いは真下の任意の面に必要に応じて配置し、圧合製造工程を使用し、該鏡面複合図/文素材を具えたカードに結合する。【選択図】図２
0003115398.tif 000002
【実用新案登録請求の範囲】
【請求項１】
主に鏡面複合図/文素材をカードの内層中に選択的に挟み圧合し、キャッシュカード、クレジットカード、キャッシングカード、ICカード、テレフォンカード、ドア開閉カード、バスや電車のプリペイドカードなどに適用可能で、多様な特色を立体的に際立たせることができ、
主に上覆膜層、上中材層、下中材層、下覆膜層と該鏡面複合図/文素材を重ね合わせて構成し、
該鏡面複合図/文素材は該上中材層、該下中材層の真上或いは真下の任意の面に必要に応じて配置し、圧合製造工程を使用し、該鏡面複合図/文素材を具えたカードに結合することを特徴とする鏡面複合図/文素材のカード。
【請求項２】
前記鏡面複合図/文素材が使用する接着剤は紫外線硬化接着剤、熱溶解性接着剤、感圧粘着接着剤であることを特徴とする請求項１記載の鏡面複合図/文素材のカード。
【請求項３】
前記鏡面複合図/文素材は機器加工溶接方式により接合することを特徴とする請求項１記載の鏡面複合図/文素材のカード。
【請求項４】
前記鏡面複合図/文素材は金属材質或いは複合材質であることを特徴とする請求項１記載の鏡面複合図/文素材のカード。
【請求項５】
前記鏡面複合図/文素材表面には少なくとも１つの図案を有し、該図案は文字、数字、図の形態とすることを特徴とする請求項１記載の鏡面複合図/文素材のカード。
【請求項６】
前記鏡面複合図/文素材は幾何学図形片体、不規則図形片体、文字片体、数字片体とすることを特徴とする請求項１記載の鏡面複合図/文素材のカード。
【考案の詳細な説明】
【技術分野】
【０００１】
本考案は一種の鏡面複合図/文素材のカードに関する。特に一種の鏡面複合図/文素材は該カードの内層中に選択的に結合され、立体的かつ鏡面の多様な特色を具えた効果を達成する鏡面複合図/文素材のカードに係る。
【背景技術】
【０００２】
現在のキャッシュカード、クレジットカード、キャッシングカード、ICカード、テレフォンカード、ドア開閉カード、バスや電車のプリペイドカードなどは設計において多種の機能を兼ね備えている。
しかし、公知のカードは表面の図が異なるだけで、図/文素材をカード中に挟むことができなかったため、カードは立体的な図/文効果を表現することができず、立体感を持たなかった。そんな中でも、市場は急速に発展し、消費者の新しいものを求める欲求はとどまることを知らず、かつハイテク技術と製造工程が絶えず発展する状況において、全く新しいカードの製造技術の開発が待たれていた。
【考案の開示】
【考案が解決しようとする課題】
【０００３】
公知構造には以下の欠点があった。
すなわち、公知のカードは立体的な視覚効果と繊細で精巧な効果を表現することができず、また単一形態の表現方式を選択しているため単調で面白みに欠け、トレンドについて行くことができない。さらに公知のカードはカードの特色を表現することができず、実用性を具えない。
本考案は上記構造の問題点を解決した鏡面複合図/文素材のカードを提供するものである。
【課題を解決するための手段】
【０００４】
上記課題を解決するため、本考案は下記の鏡面複合図/文素材のカードを提供する。
それは主に鏡面複合図/文素材をカードの内層中に選択的に挟み圧合し、多様な特色を立体的に際立たせ、また図/文が示す特色と意義を表現可能で、
さらに鏡面複合図/文素材が使用する接着剤は紫外線硬化接着剤、熱溶解性接着剤、感圧粘着接着剤で、また鏡面複合図/文素材は機器加工溶接方式により接合することもでき、
加えて該鏡面複合図/文素材は金属材質或いは複合材質で、
さらにカード内に配置する鏡面複合図/文素材表面には少なくとも１つの図案を有し、該図案は文字、数字、図の形態とし、該鏡面複合図/文素材は幾何学図形片体、不規則図形片体、文字片体、数字片体で、平面或いは立体形態で表現することを特徴とする鏡面複合図/文素材のカードである。
【考案の効果】
【０００５】
上記のように、本考案は立体的な図/文を現出可能な精巧なカードで、カードの立体効果と鏡面効果を表現することができる。さらに、図/文素材が具える特色及び意義をカード上に表現可能で、トレンディーかつ実用的である。
【考案を実施するための最良の形態】
【０００６】
図１、２、３、４に示すように本考案のカード２は主に上覆膜層３、上中材層４、下中材層５、下覆膜層６、鏡面複合図/文素材７を重ね合わせて構成する。
該鏡面複合図/文素材７は該上中材層４、該下中材層５の真上或いは真下の任意の面に必要に応じて配置し、圧合製造工程を使用し、該鏡面複合図/文素材７を具えたカード２に結合する。
該鏡面複合図/文素材７は金属材質或いは複合材質で、該鏡面複合図/文素材７は該上覆膜層３と該上中材層４間、或いは該上中材層４と該下中材層５、或いは該下中材層５と該下覆膜層６間に配置し、接着剤８或いは機器による加工溶接方式で接合する。
該鏡面複合図/文素材７が使用する接着剤８は紫外線硬化接着剤、熱溶解性接着剤、感圧粘着接着剤で、或いは機器加工溶接方式により接合する。
【０００７】
該鏡面複合図/文素材７材質は複合材質を使用し、該鏡面複合図/文素材７を透明材質の該カード２に挟む時、該鏡面複合図/文素材７周囲は透明状を呈するため、該鏡面複合図/文素材７表面は立体鏡面効果を呈する。
また該鏡面複合図/文素材７を非透明材質のカード２に挟む時には該鏡面複合図/文素材７周囲は非透明状を呈するため、該鏡面複合図/文素材７はまた違った特色を具えた立体効果を現出する。
該鏡面複合図/文素材７表面には少なくとも１つの図案を有し、該図案は文字、数字、図の形態とすることができる。該鏡面複合図/文素材７は該カード内の挟層位置に圧合され、該接着剤８により第一段階の固定を行い、最終的には圧合製造工程により鏡面複合図/文素材７を具えたカード２を構成する。
こうして該鏡面複合図/文素材７は該カード２の概観の美しさと立体鏡面効果を向上させ、同時に図/文素材が表す特色と視覚的な多様性を突出させることができる。
よってキャッシュカード、クレジットカード、キャッシングカード、ICカード、テレフォンカード、ドア開閉カード、バスや電車のプリペイドカードなどに適用可能で、該カード２を立体的に際立たせることができる。
【図面の簡単な説明】
【０００８】
【図１】本考案カードの分解構造立体図である。
【図２】本考案カードの第一鏡面複合図/文素材圧合位置図である。
【図３】本考案カードの第二鏡面複合図/文素材圧合位置図である。
【図４】本考案カードの第三鏡面複合図/文素材圧合位置図である。
【符号の説明】
【０００９】
２  カード
３  上覆膜層
４  上中材層
５  下中材層
６  下覆膜層
７  鏡面複合図/文素材
８  接着剤
【図１】
0003115398.tif 000003
【図２】
0003115398.tif 000004
【図３】
0003115398.tif 000005
【図４】
0003115398.tif 000006